(57)【特許請求の範囲】
【請求項１】
ポップカードを収容する薄肉プラスチック製のカード収容プレートと、前記カード収容プレートを保持するプラスチック製のプレートホルダーとの組み合わせからなり、商品陳列棚の棚板の前縁に取着された取付板の上端部に前記プレートホルダーが取り付けられるとともに前記取付板の前面側に前記カード収容プレートが配されるポップカード保持具であって、
前記カード収容プレートは、ピン収容空間を形成する折曲部を上端部に備えるとともに、前記折曲部に、縦状態にした下記ピン部を挿入可能に上端が開口している係止孔を備え、
前記プレートホルダーは、前記取付板の上端部に係止される断面逆Ｊ字状のフック部と、該フック部の基部側から垂直に延びた断面ほぼ四角形状のＬ字アーム部と、該Ｌ字アーム部の先端から左右両側に延び前記ピン収容空間に収容されるピン部とを備え、
前記カード収容プレートが前記ピン部を回転軸として１８０度以上回転できるよう構成される
ことを特徴とするポップカード保持具。
【請求項２】
前記プレートホルダーは、前記カード収容プレートの前記係止孔の上方から前記ピン部を縦状態にして前記ピン収容空間に収容した後、前記Ｌ字アーム部の垂直部を回転軸として９０度回転させることによって前記カード収容プレートに一体化されることを特徴とする請求項１記載のポップカード保持具。
【請求項３】
前記ピン収容空間は、上から下に向かって徐々に狭くなるように形成されており、前記ピン部を縦状態にして前記ピン収容空間に収容するとき前記ピン部の端部が最大到達できる最下端位置における空間幅は、前記ピン部の直径よりも小さく形成されていることを特徴とする請求項２記載のポップカード保持具。
【請求項４】
前記係止孔の左右方向の長さは、前記Ｌ字アーム部の四角断面の各辺の長さよりも大きく且つ対角線の長さよりも小さく形成されていることを特徴とする請求項２または３記載のポップカード保持具。
【発明の詳細な説明】
【０００１】
【発明の属する技術分野】
本発明は、ドラッグストア、スーパーマーケットなどにおいて、商品陳列棚に並べられた商品の特徴、用途、用法、効能など商品販売のための商品情報が記入されたポップカードを保持するポップカード保持具に関する。
【０００２】
【発明が解決しようとする課題】
ドラッグストアやスーパーマーケットなどでは、商品を効果的に販売するために種々の対策が講じられており、その一例として商品の特徴、用途、用法、効能など商品情報を記入したポップカードを用い、ポップカードをその商品が並べられた商品陳列棚の前縁のスライドレールあるいはストッパーモールなどに貼付し、顧客の購買意欲を喚起している。
【０００３】
しかしながら、商品陳列棚の前縁には、通常その商品のプライスカードなどが表示されている。このため、商品陳列棚の前縁にポップカードを設けるとプライスカードの表示内容がポップカードによって隠れてしまい、顧客がプライスカードの内容を視認できなくなるばかりでなく、店員がプライスカードのバーコードをバーコードリーダーで読み取る操作が困難になるなどの問題が生じる。
【０００４】
【課題を解決するための手段】
本発明に係るポップカード保持具は、ポップカードを収容する薄肉プラスチック製のカード収容プレートと、前記カード収容プレートを保持するプラスチック製のプレートホルダーとの組み合わせからなり、商品陳列棚の棚板の前縁に取着された取付板の上端部に前記プレートホルダーが取り付けられるとともに前記取付板の前面側に前記カード収容プレートが配されるポップカード保持具であって、前記カード収容プレートは、ピン収容空間を形成する折曲部を上端部に備えるとともに、前記折曲部に、縦状態にした下記ピン部を挿入可能に上端が開口している係止孔を備え、前記プレートホルダーは、前記取付板の上端部に係止される断面逆Ｊ字状のフック部と、該フック部の基部側から垂直に延びた断面ほぼ四角形状のＬ字アーム部と、該Ｌ字アーム部の先端から左右両側に延び前記ピン収容空間に収容されるピン部とを備え、前記カード収容プレートが前記ピン部を回転軸として１８０度以上回転できるよう構成されることを特徴とする。
【０００５】
前記プレートホルダーは、前記カード収容プレートの係止孔の上方から前記ピン部を縦状態にして前記ピン収容空間に収容した後、前記Ｌ字アーム部の垂直部を回転軸として９０度回転させることによって前記カード収容プレートに一体化される。前記ピン収容空間は、上から下に向かって徐々に狭くなるように形成されており、前記ピン部を縦状態にして前記ピン収容空間に収容するとき該ピン部の端部が最大到達できる最下端位置における空間幅は、該ピン部の直径よりも小さく形成されている。前記係止孔の左右方向の長さは、前記Ｌ字アーム部の四角断面の各辺の長さよりも大きく且つ対角線の長さよりも小さく形成されている。
【０００６】
【発明の実施の形態】
以下、本発明の一実施形態を図面に基づいて説明する。
【０００７】
図１は、一実施形態に係るポップカード保持具の使用態様図、図２は、ポップカード保持具の斜視図、図３は、プレートホルダーの斜視図、図４及び図５は、カード収容プレートにプレートホルダーを組み付ける操作を説明するための斜視図、図６は、組付操作時の動作説明図、図７は、同じく組付操作時の動作説明図、図８は、ポップカード保持具の取付対象となる取付板の側面図、図９は、他の取付板の側面図、図１０は、更に他の取付板の側面図、図１１は、図８図示の取付板にポップカード保持具を取り付けた状態を示す正面図、図１２及び図１３は、ポップカード保持具の取り扱い方法の説明図、図１４は、ストッパーモールにポップカード保持具を取り付けた状態を示す斜視図、図１５は、他の実施形態に係るポップカード保持具の斜視図をそれぞれ示す。
【０００８】
図１において、１は、ドラッグストアやスーパーマーケットなどの商品陳列棚を表している。商品陳列棚１の各棚板１aには、各種商品２が陳列されており、各棚板１aの前縁にはスライドレール３A（図８）など取付板３が取着され、スライドレール３Aなどに、商品名、価格、バーコードなどが記入されたプライスカード４が通常付設されている。
【０００９】
そして、特定の商品２については、その商品情報（商品の特徴、用途、用法、効能など商品販売のための情報）を記入したポップカード５が、その商品２のプライスカード４の前方に配置されている。このため、ポップカード５の裏側に存在するプライスカード４は、ポップカード５の陰になり、外からはその表示内容を見ることができない。
【００１０】
ポップカード５は、本実施形態に係るポップカード保持具２０によって保持され、ポップカード保持具２０は、ポップカード５を収容する透明なカード収容プレート３０と、カード収容プレート３０を保持するプレートホルダー４０との組み合わせからなる。
【００１１】
カード収容プレート３０は、薄肉例えば肉厚約0.5〜1.0ｍｍのプラスチック材料からなる。カード収容プレート３０の上端部および下端部は、図２、図４、図５、図６などに示すように、それぞれ折曲部３１，３２によって構成されており、これらの折曲部３１，３２の間に1枚のポップカード５が挿入される。上端側の折曲部３１は、プレートホルダー４０の後述するピン部４３を収容するピン収容空間３３を構成しており、ピン収容空間３３は、図２などに示すように上から下に向かって徐々に幅が狭くなるように形成されている。また、上端側の折曲部３１には、カード収容プレート３０の左右方向の長さに応じて適宜箇所に上下方向に長い係止孔３４が形成されている。各係止孔３４は、折曲部３１の折返片３１ａ側つまりカード収容プレート３０の裏側に大きな割合で形成されており、その上端部３４ａは開口している。また、各係止孔３４の下端部３４ｂは、Ｖ字に似た形状を有している。
【００１２】
プレートホルダー４０は、プラスチック材料で一体成形されている。プレートホルダー４０は、図３に示すように、取付板３の上端部３ａに係止される断面逆Ｊ字状のフック部４１と、フック部４１の基部４１ａ側から垂直に延びた断面ほぼ四角形状のＬ字アーム部４２と、Ｌ字アーム部４２の先端から左右両側に延びたピン部４３とを備えて構成される。
【００１３】
フック部４１は、取付板３の上端部３ａに弾性的に係止される。ここで、取付板３としては、陳列棚１の棚板１ａの前縁上面に配設されるスライドレール３Ａ（図８参照）、棚板１ａの前面に設けられプライスカード４を収容するストッパーモール３Ｂ（図９参照）、または、スライドレール３Ａとストッパーモール３Ｂとの組合わせ３Ｃ（図１０参照）を挙げることができる。なお、上記組合わせに係る取付板３Ｃの場合、フック部４１はスライドレール３Ａの上端部に係止される。
【００１４】
Ｌ字アーム部４２は、水平部４２ａと垂直部４２ｂとを有している。水平部４２ａの基端はフック部４１の基部４１ａの上端部と接合されている。垂直部４２ｂは、図７に示すように、四角断面の各辺４２ｃ，４２ｄ，４２ｅ，４２ｆの長さが係止孔３４の左右方向の幅よりも小さく且つ対角線４２ｇ，４２ｈの長さが係止孔３４の上記幅よりも大きくなるように構成されており、後述するように、プレートホルダー４０をカード収容プレート３０に組み付ける際、垂直部４２ｂを回転軸としてＬ字アーム部４２を回転するとき、垂直部４２ｂのコーナー部４２ｉ，４２ｊによって係止孔３４が弾性的に押し広げられることによって垂直部４２ｂが９０度回転し、回転後は、比較的大きな回転操作力が外部から垂直部４２ｂに加えらない限りプレートホルダー４０の回転が規制される。
【００１５】
ピン部４３は、垂直部４２ｂの上端と接合されており、フック部４１に対して平行である。ピン部４３の直径は、ピン収容空間３３の上端の幅よりも小さく形成されている。
【００１６】
次に、カード収容プレート３０にプレートホルダー４０を組み付ける作業方法を図４〜図７に基づいて説明する。
【００１７】
まず、図４に示すように、ピン部４３を縦状態にしたプレートホルダー４０を指で摘み、カード収容プレート３０の係止孔３４の上方から、Ｌ字アーム部４２の垂直部４２ｂが係止孔３４の下端部３４ｂと当接するようになるまで、ピン部４３を係止孔３４に深く挿入する。ここで、図６は、ピン部４３を係止孔３４に最大限挿入した状態に対応しており、この状態においては、図６に示すように、ピン部４３の先端部４３ａによって、折曲部３１の折返片３１ａは弾性的に押し広げられた状態となる。
【００１８】
その状態から、垂直部４２ｂを回転軸としてプレートホルダー４０を反時計方向へ９０度回転し、プレートホルダー４０を図５に示すような状態に変化させる。この間、ピン部４３の先端部４３ａは、垂直軸４２ｂの回転にしたがってピン収容空間３３内で上昇してゆき、ピン部４３が水平状態になったときには、折曲部３１の折返片３１ａは、既に元の状態（図６図示二点鎖線の状態）に弾性復帰している。
【００１９】
そして、プレートホルダー４０から指を離すと、プレートホルダー４０は、自重によってピン部４３を回転軸として約９０度回転し、水平軸４２ａが係止孔３４の下端部３４ｂと当接した状態で係止孔３４に係止される。
【００２０】
このような組付作業により得られたポップカード保持具２０を商品陳列棚１に取り付けて使用するにあたっては、商品情報を記入したポップカード５をカード収容プレート３０に収容し、取付板３の上端部にプレートホルダー４０のフック部４１を係合させて使用する。この使用状態の正面図は、例えば図１１に示すようになる。
【００２１】
この使用時には、上述したように商品のプライスカード４はポップカード５によって隠れてしまうため、顧客および店員はプライスカード４を直接見ることが困難となる。そこで、プライスカード４の表示内容を見たい場合や、そのバーコードを読み取りたい場合には、図１２に示す使用状態において、カード収容プレート３０の下部を手で持ち上げる操作を行う。このような操作が行われると、カード収容プレート３０は、プレートホルダー４０のピン部４３を回転軸として上方から後方へと１８０度以上回転し、図１３に示すような開放状態（係止孔３４の上端部３４ａがＬ字アーム部４２の水平部４２ａの上面に当接した状態に対応する。）となり、この開放状態が保持される。このカード収容プレート３０の回転中、図示は省略したが、Ｌ字アーム部４２のＬ字形状は、カード収容プレート３０を鉛直状態から後方へ回転しやすくする作用を発揮する。
【００２２】
ポップカード保持具２０は、上記のような使用時の他、単体で取り扱われる場合がある（例えば、取付板３に取り付けられているポップカード保持具２０を取付板３から取り外して他の取付板３や保管場所などに移動するような場合）。このような場合、ポップカード保持具２０のプレートホルダー４０がカード収容プレート３０から外れる可能性が考えられる。しかし、プレートホルダー４０のピン部４３が水平軸４２ａを回転軸として水平状態から垂直状態（縦状態）へ回転変位しようとしても、ピン部４３の先端部４３ａは係止孔３４の上端部３４ａの周縁部によって回転が阻止される。また、プレートホルダー４０のフック部４１がカード収容プレート３０に対して垂直になった状態でピン部４３が垂直部４２ｂを回転軸として回転変位しようとしても、ピン部４３の先端部４３ａは、下方へいくにしたがって徐々に狭くなってゆくピン収容空間３３の壁面によって回転が阻止される。さらに、ピン部４３が垂直部４２ｂを回転軸として回転しようとする場合、垂直部４２ｂのコーナー部４２ｉ、４２ｊが係止孔３４の周縁と当接し回転が阻止される。
【００２３】
このように、ポップカード保持具２０が単体で取り扱われる場合、外部からプレートホルダー４０に対して人為的な操作力を加えない限り、プレートホルダー４０がカード収容プレート３０から簡単に脱落するおそれはない。
【００２４】
なお、本発明に係るポップカード保持具２０は、図１４に示すように、フック６に設けたストッパーモール３Ｂに対しても適用できるとともに、図１５に示すように、３個以上のプレートホルダー４０を備えるポップカード保持具であってもよい。さらに、カード収容プレート３０は、図１６に示すように、下端から前方へ折り曲げられた折曲部３２を有し、前面側でポップカード５を収容する構造のものであってもよい。
【００２５】
以上説明したように、本実施形態に係るポップカード保持具２０は、ポップカード５を収容する薄肉プラスチック製のカード収容プレート３０と、カード収容プレート３０を保持するプラスチック製のプレートホルダー４０との組み合わせからなるポップカード保持具２０であって、カード収容プレート３０は、ピン収容空間３３を形成する折曲部３１を上端部に備えるとともに、折曲部３１に、上下方向に長く上端が開口している係止孔３４を備え、プレートホルダー４０は、取付板３の上端部３ａに係止される断面逆Ｊ字状のフック部４１と、フック部４１の基部４１ａ側から垂直に延びた断面ほぼ四角形状のＬ字アーム部４２と、Ｌ字アーム部４２の先端から左右両側に延びピン収容空間３３に収容されるピン部４３とを備え、カード収容プレート３０がピン部４３を回転軸として１８０度以上回転できるよう構成される。このため、本実施形態によると、プライスカードがポップカードによって隠れた状態にあっても、カード収容プレートをピン部４３を回転軸として１８０度以上回転させることによってプライスカードが見えるようになり、プライスカードの表示内容の確認およびバーコードの読み取りなどを容易に行うことが可能になる。
【００２６】
また、プレートホルダー４０は、カード収容プレート３０の係止孔３４の上方からピン部４３を縦状態にしてピン収容空間３３に収容した後、Ｌ字アーム部４２を回転軸として９０度回転させることによってカード収容プレート３０に一体化され、きわめて簡単な作業によってポップカード保持具２０を組み立てることができる。
【００２７】
また、ピン収容空間３３は、上から下に向かって徐々に狭くなるように形成されており、ピン部４３を縦状態にしてピン収容空間３３に収容するとき、ピン部４３の端部４３ａが最大到達できる最下端位置における空間幅はピン部４３の直径よりも小さく形成されているため、ピン部４３がピン収容空間３３内に水平状態で収容された状態からピン部４３が縦状態となる方向へ回転しようとしてもこの回転が阻止され、ピン部４３はピン収容空間３３から抜けにくくなる。
【００２８】
また、係止孔３４の左右方向の長さは、Ｌ字アーム部４２の四角断面の各辺４２c〜４２ｆの長さよりも大きく且つ対角線４２ｉ、４２ｊの長さよりも小さく形成されているため、ピン部４３がＬ字アーム部４２を回転軸として縦状態となる方向へ回転しようとしてもこの回転が阻止され、ピン部４３はピン収容空間３３から抜けにくくなる。
【００２９】
【発明の効果】
本発明のポップカード保持具によると、カード収容プレートがピン部を回転軸として回転可能であるため、ポップカードがプライスカードを隠している場合に、カード収容プレートを回転することによってプライスカードを外部に露出させることができ、プライスカードの表示内容の確認およびバーコードの読み取りなどを容易に行うことができるようになる。また、本発明のポップカード保持具は、カード収容プレートとプレートホルダーの組み合わせに係るものであるため、簡素な構成である。さらに、本発明によると、プレートホルダーをカード収容プレートに容易に組み付けることができる、また、組み付けた後は、プレートホルダーのカード収容プレートからの離脱を防止することができる。
【図面の簡単な説明】
【図１】本発明の一実施形態に係るポップカード保持具の使用態様図である。
【図２】ポップカード保持具の斜視図である。
【図３】プレートホルダーの斜視図である。
【図４】カード収容プレートにプレートホルダーを組み付ける操作を説明するための斜視図である。
【図５】同じくカード収容プレートにプレートホルダーを組み付ける操作を説明するための斜視図である。
【図６】組付操作時の動作説明図である。
【図７】同じく組付操作時の動作説明図である。
【図８】ポップカード保持具の取付対象となる取付板の側面図である。
【図９】他の取付板の側面図である。
【図１０】更に他の取付板の側面図である。
【図１１】図８図示の取付板にポップカード保持具を取り付けた状態を示す正面図である。
【図１２】ポップカード保持具の取り扱い方法の説明図である。
【図１３】同じくポップカード保持具の取り扱い方法の説明図である。
【図１４】ストッパーモールにポップカード保持具を取り付けた状態を示す斜視図である。
【図１５】他の実施形態に係るポップカード保持具の斜視図である。
【図１６】変形例に係るカード収容プレートの側面図である。
【符号の説明】
３    取付板
３ａ    上端部
５    ポップカード
２０    ポップカード保持具
３０    カード収容プレート
３１    折曲部
３３    ピン収容空間
３４    係止孔
４０    プレートホルダー
４１    フック部
４１ａ    基部
４２    Ｌ字アーム部
４３    ピン部
４３ａ    端部
４２ｃ〜４２ｆ    Ｌ字アーム部４２の四角断面の各辺
４２ｉ、４２ｊ    対角線
【図１】
0003806804.tif 000002
【図２】
0003806804.tif 000003
【図３】
0003806804.tif 000004
【図４】
0003806804.tif 000005
【図５】
0003806804.tif 000006
【図６】
0003806804.tif 000007
【図７】
0003806804.tif 000008
【図８】
0003806804.tif 000009
【図９】
0003806804.tif 000010
【図１０】
0003806804.tif 000011
【図１１】
0003806804.tif 000012
【図１２】
0003806804.tif 000013
【図１３】
0003806804.tif 000014
【図１４】
0003806804.tif 000015
【図１５】
0003806804.tif 000016
【図１６】
0003806804.tif 000017